(57)【要約】      （修正有）【課題】プリンターの梱包に際して、テープ或いはステープラ等の封止具を使用することなく箱を封止するとともに極めて簡易に梱包、開封でき、かつ破損しにくいプリンター梱包箱を提供する。【解決手段】テープ或いはステープラ等の封止具を使用することなく封止してプリンターを梱包するプリンター用の梱包箱であって、２面が開口した展開できる内箱２及び四角形状の箱筒である外箱６を開口面を互い違いに嵌合させて、プリンターを収納する。第１に、外箱６の天材に天材の２辺と平行でなく、かつ他の２辺と直交しないよう斜めに開封ガイドを設けた。第２に、外箱６に設けた係止片６ｇを外箱内部に押し込むことで、内箱２の係止部に係止片６ｇを係止させて、内箱２から外箱６の抜けを防いだ。【選択図】図１
0003168849.tif 000002
【実用新案登録請求の範囲】
【請求項１】
テープ或いはステープラ等の封止具を使用することなく箱を封止してプリンターを梱包するプリンター用の梱包箱であって、
底材、前記底材の前後に連設する前材及び背材、前記背材に連設する上材に展開可能で箱状に組み立てられる内箱と、
前記底材に固定され両端が前記底材の左右に突出し前記プリンターの上部で交差する第１緩衝材と両端が前記前材と背材に固定され前記第１緩衝材の上に渡される第２緩衝材からなる衝撃緩衝材と、
前記プリンターに被せる袋と、
前記衝撃緩衝材の上に載置された前記袋で被覆されたプリンターの上に置かれ前記プリンターの附属品を載置するトレイと、
下材、前材、天材及び後材からなり、２辺が開口した四角形の箱筒で、該前材及び後材が、箱状に組み立てられた前記内箱の開口した左右側面に位置するように、前記内箱に嵌められる外箱と、からなり、
前記天材に天材の２辺と平行でなく、かつ他の２辺と直交しないよう斜めに開封ガイドを設けたことを特徴とするプリンター梱包箱。
【請求項２】
テープ或いはステープラ等の封止具を使用することなく箱を封止してプリンターを梱包するプリンター用の梱包箱であって、
底材、前記底材の前後に連設する前材及び背材、前記背材に連設する上材、前記前材の左右に内部に押し込むことで穴を形成する係止部を備えた左右前折返し部及び前記背材の左右に内部に押し込むことで穴を形成する係止部を備えた左右後折返し部に展開可能で箱状に組み立てられる内箱と、
前記底材に固定され両端が前記底材の左右に突出し前記プリンターの上部で交差する第１緩衝材と両端が前記前材と背材に固定され前記第１緩衝材の上に渡される第２緩衝材からなる衝撃緩衝材と、
前記プリンターに被せる袋と、
前記衝撃緩衝材の上に載置された前記袋で被覆されたプリンターの上に置かれ前記プリンターの附属品を載置され、底面材の四方に前面材、背面材、左側面材、右側面材が起立するとともに、前記前面材及び背面材に内部に押し込むとことで穴が形成される係止部を備えたトレイと、
下材、内部に押し込める係止片を備えた前材及び天材、後材からなり、２辺が開口した四角形の箱筒で、該前材及び後材が、箱状に組み立てられた前記内箱の開口した左右側面に位置するように、前記内箱に嵌められる外箱とからなり、
前記外箱を内箱に嵌めた後、前記外箱の係止片を外箱内部に押し込むことで、前記外箱の係止片が前記内箱の係止部を介して前記トレイの係止部又は前記内箱の係止部に係止することを特徴とするプリンター梱包箱。
【考案の詳細な説明】
【技術分野】
【０００１】
本考案は、テープ或いはステープラ等の封止具を使用することなく箱を封止して、簡易にプリンターを梱包できるプリンター梱包箱に関する。
【背景技術】
【０００２】
プリンターの梱包用の箱として、特許文献１、２等が公開されている。しかしながら、それらのプリンターの梱包は、ダンボールにプリンターを入れた後、上部をテープ或いはステープラで封止していた。そのため、紙以外の封止具が必要であった。
【先行技術文献】
【特許文献】
【０００３】
【特許文献１】特開２００３−２３７８４６号公報
【特許文献２】特開２００７−１６１２６５号公報
【考案の概要】
【考案が解決しようとする課題】
【０００４】
そこで、本考案は、プリンターの梱包に際して、テープ或いはステープラ等の封止具を使用することなく箱を封止するとともに極めて簡易に梱包、開封でき、かつ破損しにくいプリンター梱包箱を提供することを目的とする。
【課題を解決するための手段】
【０００５】
本考案は、上記課題を解決するために、
（１）
テープ或いはステープラ等の封止具を使用することなく箱を封止してプリンターを梱包するプリンター用の梱包箱であって、
底材、前記底材の前後に連設する前材及び背材、前記背材に連設する上材に展開可能で箱状に組み立てられる内箱と、前記底材に固定され両端が前記底材の左右に突出し前記プリンターの上部で交差する第１緩衝材と両端が前記前材と背材に固定され前記第１緩衝材の上に渡される第２緩衝材からなる衝撃緩衝材と、前記プリンターに被せる袋と、前記衝撃緩衝材の上に載置された前記袋で被覆されたプリンターの上に置かれ前記プリンターの附属品を載置するトレイと、下材、前材、天材及び後材からなり、２辺が開口した四角形の箱筒で、該前材及び後材が、箱状に組み立てられた前記内箱の開口した左右側面に位置するように、前記内箱に嵌められる外箱と、からなり、前記天材に天材の２辺と平行でなく、かつ他の２辺と直交しないよう斜めに開封ガイドを設けたことを特徴とするプリンター梱包箱の構成とした。
（２）
テープ或いはステープラ等の封止具を使用することなく箱を封止してプリンターを梱包するプリンター用の梱包箱であって、
底材、前記底材の前後に連設する前材及び背材、前記背材に連設する上材、前記前材の左右に内部に押し込むことで穴を形成する係止部を備えた左右前折返し部及び前記背材の左右に内部に押し込むことで穴を形成する係止部を備えた左右後折返し部に展開可能で箱状に組み立てられる内箱と、前記底材に固定され両端が前記底材の左右に突出し前記プリンターの上部で交差する第１緩衝材と両端が前記前材と背材に固定され前記第１緩衝材の上に渡される第２緩衝材からなる衝撃緩衝材と、前記プリンターに被せる袋と、前記衝撃緩衝材の上に載置された前記袋で被覆されたプリンターの上に置かれ前記プリンターの附属品を載置され、底面材の四方に前面材、背面材、左側面材、右側面材が起立するとともに、前記前面材及び背面材に内部に押し込むとことで穴が形成される係止部を備えたトレイと、下材、内部に押し込める係止片を備えた前材及び天材、後材からなり、２辺が開口した四角形の箱筒で、該前材及び後材が、箱状に組み立てられた前記内箱の開口した左右側面に位置するように、前記内箱に嵌められる外箱とからなり、
前記外箱を内箱に嵌めた後、前記外箱の係止片を外箱内部に押し込むことで、前記外箱の係止片が前記内箱の係止部を介して前記トレイの係止部又は前記内箱の係止部に係止することを特徴とするプリンター梱包箱の構成とした。
【考案の効果】
【０００６】
本考案は、天材に外箱の２辺と平行でなく、かつ他の２辺と直交しないよう斜めに開封ガイドを備える外箱を内箱に嵌めることで、テープ或いはステープラ等の封止具を使用することなく簡易にプリンターを梱包することができる。このような開封ガイドであれば、積み上げられた場合でも、開封ガイドが荷物の偏り、重さで破裂することがなく確実に封止できるとともに、使用時の開封も容易である。
【０００７】
外箱に係止片を備え、内箱及びトレイに前記係止片の係止部を備えることで、２面が開口した内箱及び外箱を嵌合して梱包しても、内箱及びトレイと外箱がズレること、さらに分解することがない。
【図面の簡単な説明】
【０００８】
【図１】本考案であるプリンター梱包箱の斜視図である。
【図２】本考案を構成する内箱及び衝撃緩衝材の展開図である。
【図３】本考案を構成する袋の説明図である。
【図４】本考案を構成するトレイの説明図である。
【図５】本考案を構成する外箱の斜視図である。
【図６】本考案であるプリンター梱包箱によるプリンターの梱包手順を説明する図である。
【図７】本考案であるプリンター梱包箱によるプリンターの梱包手順を説明する図である。
【図８】係止部及び係止片の説明図である。
【考案を実施するための形態】
【０００９】
以下、添付図面に基づいて、本考案について本考案の一実施形態を挙げ詳細に説明する。
【実施例１】
【００１０】
図１に本考案であるプリンター梱包箱の斜視図を示した。本考案は、２面が開口した箱状の内箱２及び外箱６を開口部を互い違いに嵌合させ、プリンターを梱包するとともに、テープ或いはステープラ等の封止具を使用することなく簡易にプリンターを梱包することができる。それら素材は、梱包箱として使用されているダンボールが例示できるが、折り曲げ可能で、運搬時の衝撃に耐える強度を有する素材であればよい。
【００１１】
なお、外箱６の側面に四隅に係止片６ｇを設け、内箱２に後述の係止部を設け、係止片６ｇを箱の内側に押し込み係止部に係止片６ｇを係止することで、内箱２と外箱６が運搬中に外れることがない。
【００１２】
そして、開封に際しては、外箱６の天材６ｄに設けられた天材６ｄの２辺と平行でなく、かつ他の２辺と直交しないよう斜めの開封ガイド６ｆを引き上げ裂くことで、容易に開封することができる。
【００１３】
次に、図２〜図５を参照して、本考案のプリンター用梱包箱１を構成する各部品について詳しく説明する。本考案は、図２〜図５に示すように、内箱２と、衝撃緩衝材３と、袋４と、トレイ５と、外箱６からなる。
【００１４】
内箱２は、図２に示すように、底材２ａ、底材２ａの前後に連設する前材２ｂ及び背材２ｃ、背材２ｃに連設する上材２ｄに一列に展開可能で、箱状に組み立てられる。なお、点線は、組み立て時に折曲げられる位置を示している。
【００１５】
前材２ｂの左右には内部に押し込むことで穴が形成される係止部２ｒ、２ｘを備えた左右前折返し部２ｍ、２ｎが連設する。背材２ｃの左右にも内部に押し込むことで穴が形成される係止部２ｒ、２ｘを備えた左右後折返し部２ｐ、２ｑが連設する。
【００１６】
前材２ｂの残りの辺に、組み立てたとき上材２ｄの一部と重なる重なり部２ｅが連設され、前材２ｂと接する位置にスリット２ｆが穿設され、組み立てられたとき上材２ｄの係止片２ｈが挿入され、係止する。
【００１７】
背材２ｃに突設された係止片２ｈには穴２ｉが形成され、組み立てられたとき前材２ｂに突設された係止片２ｇが挿入され、係止する。穴２ｉに位置する上材２ｄには凹み２ｋが形成され、組み立て時に、指を入れ、係止片２ｇ、２ｈの嵌合を行いやすくしてある。
【００１８】
衝撃緩衝材３は、底材２ａに固定され、両端が底材２ａの左右に突出し、プリンターの上部で交差する長さをした帯状の第１緩衝材３ａと、両端が前材２ｂと背材２ｃに固定され第１緩衝材３ａの上に位置する第２緩衝材３ｃとからなる。衝撃緩衝材３は、例えば、気泡緩衝材（エア・クッション／気泡シート：２枚のポリエチレンシートから成り、一方のシートは成型した円柱状の突起の中に空気を閉じ込めたもので、その空気圧で緩衝作用を発揮する。）が好適であるが、可撓性、衝撃緩衝性があれば、特に気泡緩衝材に限定されない。
【００１９】
そして、第１緩衝材３ａの一端には、第１緩衝材でプリンターを巻いたとき、プリンター上部で第１緩衝材３ａ端部を連結する両面テープ３ｂが備えられことが望ましい。なお、第１緩衝材３ａをプリンターに巻き付けたとき、第１緩衝材３ａの両端部を固定できる手段であれば、特に両面テープに限定されない。
【００２０】
図４（Ａ）に袋４の平面図、図４（Ｂ）にプリンター７に袋を被した様子を示した。袋４は、プリンター７を覆うことができれば、形状、素材、色など特に限定されない。プリンター７に袋４を掛けることでプリンター７にゴミ、埃などの汚れを防ぐ。
【００２１】
図５（Ａ）にトレイ５の展開図、図５（Ｂ）に附属品８をトレイ５の載せた様子を示した。トレイ５は、被覆され衝撃緩衝材３の上に載置された袋４で被覆されたプリンター７の上に置かれ、プリンター７の附属品８を載置するものである。プリンター７と共に梱包される。
【００２２】
図５（Ａ）に示すように、展開したトレイ５は、附属品８を載置する底面材５ａの四方に前面材５ｂ、背面材５ｃ、左側面材５ｄ、右側面材５ｅが連設され、折曲げ組み立てることによりそれらが起立する。なお、点線は、組み立て時に折曲げられる位置を示している。
【００２３】
前面材５ｂ及び背面材５ｃに両端部には、内部に押し込むとことで穴が形成される係止部５ｉ、５ｉを備える。係止部５ｉには、後述の外箱６の係止片が係止される。さらに、前面材５ｂ及び背面材５ｃの左右には、組み立て時に、折曲げた左右側面材５ｄ、５ｅの間に位置させて、組み上げられたトレイ５の形状を保持させる折返し片５ｈ、５ｈが連設される。
【００２４】
左右側面材５ｄ、５ｅの端部には、底面材５ａの左右側面材５ｄ、５ｅ側の端部に穿設された穴５ｆに挿入され、組み上げられたトレイ５の形状を保持させる挿入部５ｇが突設される。
【００２５】
なお、トレイ５の組み立て方式、形状は、この実施例に限定されるものではない。但し、係止部５ｉを設けるときは、外箱６の係止片を係止できる形状、位置に設けるとよい。
【００２６】
外箱６は、図５に示すように、内部空洞で２面が開口した、下材６ａ、前材６ｂ、天材６ｄ及び後材６ｃからなる四角形状の箱筒である。下材６ａには、後材６ｃと接続する辺に、外箱６の連結強度を保つ重なり部６ｅが連設し、後材６ｃと予め連結している。前材６ｂ及び後材６ｃは、箱状に組み立てられた内箱２の開口した左右側面に位置するように、内箱２に嵌められる。
【００２７】
外箱６の前材６ｂ及び後材６ｃの四隅には、外箱６内部に押し込める係止片６ｇが設けられている。係止片６ｇは、外箱６を内箱２に挿入した後に、内部に押し込むことで、上段の係止片６ｇは内箱２の係止部２ｒを介してトレイ５の係止部５ｉに、下段の係止片６ｇは内箱２の係止部２ｘに嵌る。
【００２８】
天材６ｄには、天材６ｄの２辺と平行でなく、かつ他の２辺と直交しないよう斜めに開封ガイド６ｆが設けられている。開封ガイド６ｆは、梱包されたプリンター７を取り出すときの開封場所となる。波線状に切れ込みが穿設され、開封ガイド６ｆを引き上げて天材２ｄから分離（開封）を補助する。そして、開封ガイド６ｆの開封始点、終点は天材６ｄの辺より約１ｃｍ程度内側に位置している。梱包時或いは流通時の引っ掛かりによる開封ガイド６ｆの亀裂の防止のためとプリンター用梱包箱１の強度確保のためである。なお、開封ガイドは例示の開封ガイド６ｆ以外の形式を採用してもよい。
【００２９】
次に、図６〜図７を参照して、プリンター７の梱包手順を説明する。プリンター７の梱包は、図６、７に示す（Ａ）〜（Ｅ）のステップで行われ、最終的に図１に示す状態に梱包される。
【００３０】
図６（Ａ）に示すように、衝撃緩衝材３を備え展開された内箱２に、袋４を被せられたプリンター７を載置する。続いて、（Ｂ）に示されているように、第１緩衝材３ａをプリンター７に巻きつけ、プリンター７の上部で端部を両面テープ３ｂで固定する。第１緩衝材３ａはプリンター７の底面、２側面、上面の衝撃を緩和する。第２緩衝材３ｃは、プリンター７の底面、残りの２側面の衝撃を緩和する。
【００３１】
続いて、図６（Ｃ）に示すように、組み立てられたトレイ５に附属品８を載せ、トレイ５をプリンター７上に載置する。続いて、（Ｄ）に示すように、内箱２を折れ目で折曲げ、箱状に成形するとともに、前材２ｂの係止片２ｇ、上材２ｄの係止片２ｈを対応する穴２ｉ、スリット２ｆに挿入して、組み立て、内箱２の形状を保持させる。トレイ５には，上方からの衝撃緩衝効果もある。
【００３２】
続いて、図７（Ｅ）に示すように、外箱６の２開口面から外箱６を内箱２に嵌める。このとき、内箱２及び外箱６を開口部を互い違いに嵌合させる、即ち、内箱２の前材２ｂから見た右側面に外箱６の前材６ｂが、左側面に外箱６の後材６ｃが位置するように嵌める。
【００３３】
最後に、外箱６の係止片６ｇを外箱６内部に押し込むことで、上段の係止片６ｇは内箱２の係止部２ｒを介して、トレイ５の係止部５ｉに嵌る。下段の係止片６ｇは内箱２の係止部２ｘに嵌る。これにより、流通時に、内箱２及びトレイ５と、外箱６がズレることがない。
【００３４】
図８に、（Ａ）外箱６の係止片６ｇ、（Ｂ）内箱２の係止部２ｒ（２ｘ）、（Ｃ）トレイ５の係止部５ｉの拡大図を示した。
【００３５】
図８（Ａ）に示す外箱６の係止片６ｇは、係止片６ｇより細い首部６ｉで前材６ｂ又は後材６ｃに接続し、その他の周囲は前材６ｂ及び後材６ｃから切れ込み６ｈで隔離され、点線で示した位置で外箱６の内側に折り込まれる。そして、外箱６の内側に折り込まれることで、係止片６ｇは、内箱２の係止部２ｒを介してトレイ５の係止部５ｉ又は内箱２の係止部２ｘに係止され、外箱６が内箱から外れることを防止する。
【００３６】
図８（Ｂ）に示す内箱２の係止部２ｒ（２ｘ）は、係止片２ｓより細い首部２ｕで左右前折返し部２ｍ、２ｎ及び左右後折返し部２ｐ、２ｑに接続し、その他の周囲は切れ込み２ｔで各部材から隔離され、点線で示した位置で、外箱の係止片６ｇに押されて内箱２の内側に折り込まれる。そして、係止片２ｓが押し込まれることで切れ込み２ｔとともに穴を形成し、外箱６の係止片６ｇの首部６ｉを首部２ｕの位置に位置させ、凸部２ｗで抜けを防ぐ。なお、係止部２ｘの係止片２ｓは、係止片６ｇとともにトレイ５の係止部５ｉに係止される。
【００３７】
図８（Ｃ）に示すトレイ５の係止部５ｉは、前面材５ｂ、背面材５ｃに略三角形の穴５ｋを穿設するとともに、実線で示した位置に切れ込み５ｎが設けられ、点線で示した位置で外箱６の係止片６ｇの押し込みによりトレイ５の内側に折り込まれる、前面材５ｂ、背面材５ｃに接続する折れ片５ｍ備えてなる。折れ片５ｍに外箱の係止片６ｇ、内箱２の係止片２ｓの首部６ｉ、２ｕと係止片６ｇ、２ｓの接続部を係止する。
【符号の説明】
【００３８】
１      プリンター用梱包箱
２      内箱
２ａ    底材
２ｂ    前材
２ｃ    背材
２ｄ    上材
２ｅ    重なり部
２ｆ    スリット
２ｇ    係止片
２ｈ    係止片
２ｉ    穴
２ｋ    凹み
２ｍ    左前折返し部
２ｎ    右前折返し部
２ｐ    左後折返し部
２ｑ    右後折返し部
２ｒ    係止部
２ｓ    係止片
２ｔ    切れ込み
２ｕ    首部
２ｗ    凸部
２ｘ    係止部
３      衝撃緩衝材
３ａ    第１緩衝材
３ｂ    両面テープ
３ｃ    第２緩衝材
４      袋
５      トレイ
５ａ    底面材
５ｂ    前面材
５ｃ    背面材
５ｄ    左側面材
５ｅ    右側面材
５ｆ    穴
５ｇ    挿入部
５ｈ    折返し片
５ｉ    係止部
５ｋ    穴
５ｍ    折れ片
５ｎ    切れ込み
６      外箱
６ａ    下材
６ｂ    前材
６ｃ    後材
６ｄ    天材
６ｅ    重なり部
６ｆ    開封ガイド
６ｇ    係止片
６ｈ    切れ込み
６ｉ    首部
７      プリンター
８      附属品
【図１】
0003168849.tif 000003
【図２】
0003168849.tif 000004
【図３】
0003168849.tif 000005
【図４】
0003168849.tif 000006
【図５】
0003168849.tif 000007
【図６】
0003168849.tif 000008
【図７】
0003168849.tif 000009
【図８】
0003168849.tif 000010